(57)【特許請求の範囲】
【請求項１】
番組を再生する再生装置であって、
番組を特定する複数の特定情報を含む番組特定情報を取得する番組情報取得部と、
前記番組特定情報毎に、番組の再生に関する調整項目を設定する調整項目設定ファイルを記憶するメモリ部と、
取得した前記番組特定情報の前記複数の特定情報と、前記調整項目設定ファイルに記憶されている前記番組特定情報の複数の特定情報とを比較して、前記複数の特定情報のうち全てが一致した場合または前記複数の特定情報のうち未設定を除く特定情報が一致した場合には、前記番組特定情報に対応する調整項目を反映させる調整項目反映部と、
取得した前記番組特定情報の前記複数の特定情報の組み合わせが前記調整項目設定ファイルに存在しない場合には、取得した前記番組特定情報と設定された前記調整項目とを対応付けて前記調整項目設定ファイルに設定する調整項目設定部と、
を有し、
前記調整項目設定ファイルの前記番組特定情報には優先度が付されており、
前記調整項目設定部は、番組を視聴中に前記調整項目が変更された場合には、前記番組特定情報と前記変更された調整項目とを、最も高い優先度で前記調整項目設定ファイルに設定することを特徴とする再生装置。
【請求項２】
前記番組特定情報は、ネットワークＩＤ、又は、該ネットワークＩＤ及びサービスＩＤにより特定されるチャネルと、番組名と、からなることを特徴とする請求項１に記載の再生装置。
【請求項３】
前記番組特定情報において、前記番組名を番組タイトルにより特定することを特徴とする請求項２に記載の再生装置。
【請求項４】
前記番組特定情報において、前記番組名をシリーズＩＤにより特定することを特徴とする請求項２に記載の再生装置。
【請求項５】
前記番組は、録画済み番組であることを特徴とする請求項１から４までのいずれか１項に記載の再生装置。
【請求項６】
前記調整項目を、ネットワーク経由で参照することを特徴とする請求項１から５までのいずれか１項に記載の再生装置。
【請求項７】
請求項１から６までのいずれか１項に記載の再生装置を備えたテレビジョン受信装置。
【請求項８】
番組を再生する番組再生方法であって、
番組を特定する複数の特定情報を含む番組特定情報を取得するステップと、
取得した前記番組特定情報の前記複数の特定情報と、前記調整項目設定ファイルに記憶されている前記番組特定情報の複数の特定情報とを比較して、前記複数の特定情報のうち全てが一致した場合または前記複数の特定情報のうち未設定を除く特定情報が一致した場合には、番組を再生する際に前記番組特定情報に対応する調整項目を反映させるステップであって、前記調整項目設定ファイルの前記番組特定情報には優先度が付されている、ステップと、
取得した前記番組特定情報の前記複数の特定情報の組み合わせが、前記番組特定情報と前記調整項目との対応関係を保存する調整項目設定ファイルに存在しない場合には、前記番組特定情報と対応する調整項目とを前記調整項目設定ファイルに設定するステップと、
番組を視聴中に前記調整項目が変更された場合には、前記番組特定情報と前記変更された調整項目とを、最も高い優先度で前記調整項目設定ファイルに設定するステップと、
を有することを特徴とする番組再生方法。
【請求項９】
請求項８に記載の番組再生方法をコンピュータに実行させるためのプログラム。
【発明の詳細な説明】
【技術分野】
【０００１】
本発明は、番組の再生装置及びそれを用いたテレビジョン受信装置に関する。
【背景技術】
【０００２】
テレビジョン受信装置などの表示装置（再生装置）において、機能が複雑になってきており、それらの機能を調整したり設定したりするための調整項目数が益々増加してきている。
【０００３】
すなわち、テレビジョン受信装置の機能として、視聴操作・番組表示設定・２画面・映像調整・音声調整・音声切換などユーザの趣向に合わせ、逐次切り換えられる様に設けられた調整項目がリモコンにもメニューにも多く存在しているが、購入当初は目新しさも伴ってユーザもいくつか操作し設定してみるものの、少しずつ操作が面倒になり操作を行わなくなっていく。そして、最終的には殆ど初期設定のままで番組を見るユーザが多数存在する。
【０００４】
その理由は、ユーザがテレビ視聴中に何かを設定したいと考えるのはテレビ本体に対してではなく、視聴中の番組に対してであり、その番組が終了し次の番組が始まった時点で、先ほど設定した調整項目を、元に戻す操作が煩わしいと感じるためである。
【０００５】
下記特許文献１に記載の技術では、受信放送番組に係るジャンルをＥＰＧ情報に基づいて識別し、この識別したジャンルに適した表示画質及び音質での受信状態を得るための画像及び音質の処理に適用すべき調整項目としての画質パラメータ及び音質パラメータを、双方のパラメータの組み合わせとしてウェブサイトから取得し、該取得した画質パラメータ及び音質パラメータを適用して映像の表示及び音声の出力を行うための映像データ処理及び音声データ処理を実行するものである。
【０００６】
これにより、画質と音質との調和がとれた最適な映像処理及び音声処理を自動的に行うことで、調整項目の設定に関するユーザの負担を軽減することができる。
【先行技術文献】
【特許文献】
【０００７】
【特許文献１】特開２００７−２８２０７７号公報
【発明の概要】
【発明が解決しようとする課題】
【０００８】
しかしながら、上記特許文献１に記載のように、ジャンルに応じて調整項目を自動設定すると、以下のような問題が生じる。
【０００９】
図１４は、ジャンルに応じて調整項目を自動設定する様子を示す図である。ここでは、調整項目として、視聴設定（表示設定）を例にしてわかりやすく説明する。図１４に示すように、テレビの表示部１７に番組等のコンテンツを表示させた場合、例えば、ＣＳ３００ｃｈの日テレプラスで、ジャンルがアニメであるコンテンツ（番組）「ＡＢＣＤ」１４１を視聴していたとする。この場合には、図１４左上の番組ソースとしてワイド画面用であるコンテンツがテレビに伝送されると、そのままワイド画面でコンテンツを見たいとユーザは思うため、画面サイズ切換で、ワイド画面で表示画面１７全体に表示させてコンテンツ（番組）「ＡＢＣＤ」１４１を見ることができるように、画面サイズ切換をシネマの設定にするのが一般的である。
【００１０】
次に、同じＣＳ３００ｃｈの日テレプラスで、次の番組であるコンテンツ（番組）「ＸＹＺ！」を視聴すると、この番組もジャンルがアニメであるが、ソースの表示データ１４７がワイド画面用ではないため、実際にジャンルがアニメで同じであるとして画像サイズ切換えで、シネマに自動設定されると、画面サイズ切換でテレビの表示部１７をはみ出すような（横幅は一致するため縦がはみ出してしまう）表示１５１となり、画面をはみ出した表示のまま視聴することになり不都合である。
【００１１】
図１５も、ジャンルに応じて調整項目を自動設定する様子を示す図である。図１５に示すように、例えば、ＣＳ３００ｃｈの日テレプラスで、ジャンルがアニメであるコンテンツ（番組）「ＡＢＣＤ」１４１をコンテンツソースとしてテレビで視聴する場合に、テレビに伝送されたコンテンツソースが、この場合には、図１５左上のソースがワイド画面であるコンテンツがテレビに伝送され、そのままワイド画面でコンテンツを見たいとユーザは思うため、画面サイズ切換で、ワイド画面で表示画面１７全体に表示させてコンテンツ（番組）「ＡＢＣＤ」１４１を見ることができるように、画面サイズ切換をシネマの設定にするのが一般的である。
【００１２】
次に、チャネル切換を行い、ＣＳ３３３ｃｈのＡＴ−Ｘでコンテンツ（番組）「ＡＢＣＤ」１４１を見ようとすると、このコンテンツは元々ワイド画面に表示可能なコンテンツとして伝送されるため、上記で設定した画面サイズ切換、「シネマ」に沿って画面サイズ切換をシネマに合わせて行うと、ワイド画面に表示できるソースに基づくため、表示画面１７をはみ出したワイドサイズの表示１５３となってしまい、ユーザにとって不都合な表示となってしまう。
【００１３】
以上のように、ジャンルに合わせて画面サイズの切換をシネマにするように自動設定されると、次の番組も同じジャンルであった場合に、不都合が生じる可能性が高いことがわかる。
【００１４】
本発明は、調整項目の変更をできるだけ少なくするとともに、番組の切換に応じて生じる表示の不都合等を解消することができる技術を提供することを目的とする。
【課題を解決するための手段】
【００１５】
本発明は、あるチャネル（ネットワークＩＤとサービスＩＤ）により特定される”番組名”と、ユーザが設定した”視聴パラメタ”などの調整項目とを対応付けて記憶しておき、これに基づいて、番組の変更を伴うチャネル切換等があった場合にも対応関係を維持するように自動調整を行うことを特徴とする。
【００１６】
本発明の一観点によれば、番組を再生する再生装置であって、番組を特定する番組特定情報を取得する番組情報取得部と、前記番組特定情報毎に、番組の再生に関する調整項目を設定する調整項目設定ファイルを記憶するメモリ部とを有することを特徴とする再生装置が提供される。
【００１７】
取得した前記番組特定情報に対応する番組特定情報が前記調整項目設定ファイルに存在する場合には、番組を再生する際に前記番組特定情報に対応する調整項目を反映させる調整項目反映部を有することが好ましい。取得した前記番組特定情報が前記調整項目設定ファイルに存在しない場合には、取得した前記番組特定情報と設定された前記調整項目とを対応付けて前記調整項目設定ファイルに設定する調整項目設定部を有することが好ましい。
【００１８】
前記番組特定情報は、ネットワークＩＤ又は該ネットワークＩＤ及びサービスＩＤのいずれかにより特定されるチャネルと番組名とからなることが好ましい。
【００１９】
前記番組特定情報は、前記番組名を番組タイトルにより特定するものであることが好ましい。また、前記番組特定情報は、前記番組名をシリーズＩＤにより特定するものであっても良い。前記番組は、録画済み番組であっても良い。前記調整項目を、ネットワーク経由で参照するようにしても良い。
【００２０】
本発明は、上記のいずれかに記載の再生装置を備えたテレビジョン受信装置であっても良い。
【００２１】
本発明の他の観点によれば、番組を再生する番組再生方法であって、番組を特定する番組特定情報を取得するステップと、取得した前記番組特定情報が、前記番組特定情報と前記調整項目との対応関係を保存する調整項目設定ファイルに存在する場合には、番組を再生する際に前記番組特定情報に対応する調整項目を反映させるステップと、を有することを特徴とする番組再生方法が提供される。
【００２２】
また、番組を再生する番組再生方法であって、番組を特定する番組特定情報を取得するステップと、取得した前記番組特定情報が、前記番組特定情報と前記調整項目との対応関係を保存する調整項目設定ファイルに存在しない場合には、前記番組特定情報と対応する調整項目とを前記調整項目設定ファイルに設定するステップと、を有することを特徴とする番組再生方法が提供される。
【００２３】
本発明は、上記に記載の番組再生方法をコンピュータに実行させるためのプログラムであっても良く、該プログラムを記録するコンピュータ読み取り可能な記録媒体であっても良い。
【発明の効果】
【００２４】
本発明によれば、ある番組を見る場合に、調整項目の再設定処理をできるだけ少なくすることができる。また、自動設定の範囲を同じチャネルの同じ番組に限定することで、チャネル切換時における不都合な自動設定に基づく表示等を防止することができるという利点がある。
【図面の簡単な説明】
【００２５】
【図１】本発明の一実施の形態による番組再生装置を備えたテレビジョン受信装置の一構成例を示す機能ブロック図である。
【図２】本発明の第１の実施の形態による調整項目再設定処理の流れを示すフローチャート図である。
【図３】本発明の第１の実施の形態による設定保存処理の流れを示すフローチャート図であり、画面サイズ切換の調整項目を例に、番組名毎に調整項目を保存する例を示す図である。
【図４】本発明の第１の実施の形態による設定を反映する処理の流れを示すフローチャート図である。
【図５】第１の画面切換例を示す図である。
【図６】第２の画面切換例を示す図である。
【図７】第３の画面切換例を示す図である。
【図８】第５の画面切換例を示す図である。
【図９】第６の画面切換例を示す図である。
【図１０】本発明の第２の実施の形態による設定保存処理の流れを示すフローチャート図であり、画面サイズ切換の調整項目を例に、番組名毎に調整項目を保存する例を示す図である。
【図１１】本発明の第２の実施の形態による設定を反映する処理の流れを示すフローチャート図であり、調整項目反映部が行う処理である。
【図１２】本実施の形態の第１の画面切換例を示す図である。
【図１３】本実施の形態の第２の画面切換例を示す図である。
【図１４】ジャンルに応じて調整項目を自動設定する第１の従来例を示す図である。
【図１５】ジャンルに応じて調整項目を自動設定する第２の従来例を示す図である。
【発明を実施するための形態】
【００２６】
（第１の実施の形態）
本明細書において、「番組特定情報」とは、番組を特定することができる情報を指し、例えば、テレビの放送では、番組の放送波（例えば、地上波デジタル方法、ＢＳデジタル放送、ＣＳデジタル放送など）を表すネットワークＩＤと、番組を放送する放送局のＩＤを表すサービスＩＤと、により、チャネルが特定され、番組名により、そのチャネルのどの番組であるかを特定することができる。「番組特定情報」は、放送波中の番組表データから取得することができる。シリーズＩＤも番組特定情報に含めることができる。
【００２７】
すなわち、ネットワークＩＤとサービスＩＤは、ＮＩＴ（Ｎｅｔｗｏｒｋ  Ｉｎｆｏｒｍａｔｉｏｎ  Ｔａｂｌｅ）から取得することができる。より詳細には、ＴＲ-Ｂ１４（地デジ）の第二分冊またはＴＲ−Ｂ１５の第二分冊（ＢＳ）および第四分冊（ＣＳ）に”ＮＩＴ(Network Information Table)”として定義されており、基本的には、ネットワークＩＤはＮＩＴ中から、サービスＩＤはＮＩＴの第２ループ中から取得できる。
【００２８】
また、コンテンツを提供するＩＰＴＶなどの場合には、ネットワークＩＤによりソースが特定され、コンテンツＩＤにより、コンテンツを特定することができる。コンテンツＩＤは、コンテンツ提供者から提供されるコンテンツのメタデータから取得することができる。
【００２９】
また、シリーズＩＤとは、連続ドラマなどのように、例えば１週間毎又は毎日同じ時間などに連続して放送される続き番組であることを示すＩＤのことである。ＡＲＩＢの規格においては、１６ビットの文字列（数字列）により特定することができる。
【００３０】
また、調整項目とは、表示サイズや音量など、装置の調整を行うために装置に設定することができる項目のことであり、明細書内で例示する調整項目の他に、以下のＵＲＬにより取得できる液晶テレビジョン受信装置の取り扱い説明書等に記載されている調整項目を含むが、以下の表に基づく記載及び取り扱い説明書に記載されている調整項目は、一例であり、調整項目の範囲を限定するものではない。
１）取り扱い説明書１
LC-60LV3
ＵＲＬ：  http://www.sharp.co.jp/support/aquos/doc/mn_lc60-40lv3.html
（例えば、６７、６８、７２、７８、７９、８０、８６、２０３ページ等）
２）取り扱い説明書２
LC-40DR3
ＵＲＬ：  http://www.sharp.co.jp/support/aquos/doc/mn_lc40dr3.html
（例えば、７８、８９−９１、１１３、２２７ページ等）
また、本明細書において、番組という用語を、ネットコンテンツを含むコンピュータや録画済み番組などを含む広い概念として用いている。
【００３１】
【表１】
0005274604.tif 000002
【００３２】
表１は、視聴操作に関する調整項目の例を示す表である。例えば、画面サイズ切換として、１０８０Ｉと４８０Ｉとのそれぞれにおける調整項目が記載されている。すなわち、例えば４８０Ｉでは、ノーマル、スマートズーム、ワイド４：３、シネマ、フル、ワイド１６：９などの調整項目のいずれかを選択して設定することができる。１０８０Ｉでも、フル１，フル２、Ｄｏｔ  ｂｙ  Ｄｏｔ、スマートズーム、ワイド１６：９、シネマ等のうちのいずれかの調整項目を選択することができる。
【００３３】
【表２】
0005274604.tif 000003
【００３４】
表２は、画面表示に関する調整項目の例を示す表である。
例えば、文字サイズとして、標準、大きな文字など、字幕表示として、オンスクリーン、アウトスクリーン、表示切りなどを選択することができ、さらに、それぞれの調整項目に関して、例えばアウトスクリーンであれば字幕上・表示入、字幕下・表示入りなどを設定することもできる。
【００３５】
【表３】
0005274604.tif 000004
【００３６】
表３は、多画面表示、ここでは例として２画面表示に関する調整項目の例を示す表である。
例えば、１画面、均等２画面、大小２画面（１）、（２）、ＰｉｎＰ（ピクチャインピクチャ）などと、ＰｉｎＰであればその表示位置とを設定することができる。
【００３７】
【表４】
0005274604.tif 000005
【００３８】
表４は、音声切換、インターネットの調整項目例を示す表である。音声切換であれば、デュアルモノ（主音声、副音声、主音声＋副音声）などの設定、ステレオであれば、音声１、音声２などの設定が可能であり、また、インターネット表示が可能な場合には、テレビ、テレビ＋インターネット、２画面＋インターネットなどを設定することができる。
【００３９】
【表５】
0005274604.tif 000006
【００４０】
表５は、映像調整の項目設定例を示す表である。映像調整の調整項目としては、ＡＶポジション（画質切換）として、ぴったりセレクト、標準、映画、ゲーム、ＡＶメモリー、フォト、ダイナミック、ダイナミック（固定）が設定でき、また、明るさセンサー付きであれば、その明るさセンサーを入れたり切ったりする設定が可能である。
【００４１】
【表６】
0005274604.tif 000007
【００４２】
表６は、音声調整の調整設定例を示す表である。オートボリュームであれば、強、中、弱、切の設定が可能であり、サラウンドであれば、自動、入、切の設定が可能である。また、音質補正、声の聞きやすさなどに関しても、複数のモードを設定可能である。
【００４３】
また、番組情報から参照する項目としては（後述するシリーズＩＤを用いる場合）、シリーズＩＤ（複数の番組を１つのグループとして扱うためのＩＤ）、ネットワークＩＤ（ＢＳ、ＣＳ、地デジ）、サービスＩＤ（チャネル）などがある。さらに、番組情報から参照する項目としては（後述する番組名を用いる場合）としては、番組名（但し、サブタイトル、話数、放送用特殊文字（字、再、二）などを除いた番組名や、ネットワークＩＤ（ＢＳ、ＣＳ、地デジ）、サービスＩＤ（チャネル）などが挙げられる。
【００４４】
これらの調整項目を、ネットワーク経由で、例えばコンテンツプロバイダ等から取得するようにしても良い。
【００４５】
以下、本発明の第１の実施の形態による番組再生装置について、テレビジョン受信装置を例にして説明を行う。また、調整項目としては、表１から表３までに示した表示に関する調整項目を例にして説明を行う。第１の実施の形態では、番組名に基づいて調整項目を保存・設定する例について説明する。
【００４６】
図１に示すテレビジョン受信装置Ｘは、アンテナＡから受信された放送信号から放送番組を選択するチューナなどを含むフロントエンド１と、多重化されている信号を映像信号と音声信号とに分けるデマルチプレクサ３と、暗号化されている映像信号と音声信号とをデコードする映像・音声デコード部１１と、デコードされた音声を出力する音声出力部１３と、デマルチプレクサ３からの出力から番組情報をデコードする番組情報デコード部（番組情報取得部を兼ねる）５と、取得した番組情報から電子番組表（ＥＰＧ）データを生成する番組表データ生成部７と、映像及び番組表示データなどを合成する画面合成部１５と、画面合成部１５で合成された映像を表示する表示部（ディスプレイ）１７と、を有している。
【００４７】
さらに、各機能部全体を制御する制御部（ＣＰＵ）２１と、各種処理をＣＰＵ２１に実行させるためのプログラムなどを格納するメモリ部（ＲＡＭ、ＲＯＭ）２３と、任意であるが番組などを記録するハードディスクなどの記憶部（ＨＤＤ）２５と、リモコン装置からのリモコン信号を受信するリモコン受光部２７と、を有している。また、コンテンツなどを提供するサーバ装置３５との間で、ネットワークＮＴを介してコンテンツを取得するためのインターフェイスを構成するインターフェイス部３１を有していても良い。尚、記憶部（ＨＤＤ）２５は、レコーダ兼用のテレビの場合に設けられ、専用のテレビでは設けられていないのが一般的である。また、調整項目に関する情報をサーバ装置３５からダウンロードして用いることも可能である。
【００４８】
さらに、本実施の形態では、メモリ部２３に、調整項目を設定するための調整項目設定ファイル（テーブル）２３ａが設けられている。このテーブルの内容の例については後述する。さらに、メモリ部２３のＲＯＭ内に記録されているプログラムに基づいて、制御部（ＣＰＵ）２１が処理を行う、調整項目設定部２１ａと、調整項目反映部２１ｂとが設けられている。調整項目設定部２１ａは、後述するフローチャート図に示す処理に基づいて、番組情報取得部５等が取得した番組名に対応する調整項目を調整項目設定ファイル２３ａに設定する機能を有し、調整項目反映部２１ｂは、後述するフローチャート図に示す処理に基づいて、調整項目設定ファイル２３ａと番組情報取得部５等が取得した新たな番組名とに基づいて特定される調整項目を装置に反映させる（装置に自動的に設定する）機能を有する。
【００４９】
【表７】
0005274604.tif 000008
【００５０】
表７は、調整項目設定ファイル２３ａに保存されている項目の一例を示す表である。表７においては、ネットワークＩＤと、サービスＩＤと、番組名と、画面サイズ切換（標準画質ＳＤ）と、字幕表示と、二カ国語放送と、が設定可能な項目としてあげられている。このうち、テレビの放送では、ネットワークＩＤと、サービスＩＤと、により、チャネルが特定され、ＩＰＴＶなどの場合には、ネットワークＩＤによりソースが特定される。
【００５１】
これらの番組情報、特に番組を特定するために必要な情報を、本明細書では「番組特定情報」と称する。以下では、番組特定情報として、番組名又はシリーズＩＤを例にして説明する。また、調整項目としては、表７では、画面サイズ切替（ＳＤ）をノーマル、シネマ、スマートズームなどのいずれにするか、字幕表示を切、入、入り（下段）などのいずれにするか、二カ国語放送を主音声、副音声、主音声＋副音声のいずれにするかなど、表１から表６までのような項目がある。また、以下に述べる保存項目とは、例えば、表７の１行毎に、番組特定情報とそれ毎に設定された調整項目とが調整項目設定ファイル２３ａに保存されている場合に、これらの保存されている項目を指す。
【００５２】
表７において、列方向に行を見ていくと、ネットワークＩＤと、サービスＩＤと、番組名と、が未設定であり、画面サイズ切換（標準画質ＳＤ）はノーマル、字幕表示は切、二カ国語放送は主音声＋副音声となっている一番上の行を標準設定とした例について説明する。
【００５３】
上から２行目に設定は、ネットワークＩＤが0x0004(BS)であり、サービスＩＤと番組名が未設定、画面サイズ切換（標準画質ＳＤ）はノーマル、字幕表示は入、二カ国語放送は主音声＋副音声となっている。この設定によれば、ＢＳ放送であれば、どのようなチャネル、番組であっても、上記設定を行う旨が示されている。すなわち、ネットワークＩＤが同じであれば、チャネル、番組名に依存せずに、設定される調整項目を一律にすることができる。尚、未設定の設定は、メニュー画面（ＧＵＩ）などにより、未設定を入力することで設定できる。また、メーカが、デフォルトで標準項目等で未設定に設定するようにすることもでき、メーカのサーバなどからダウンロードして取得することもできる。
【００５４】
上から３行目は、ネットワークＩＤが0x0004(BS)であり、サービスＩＤが0x065(NHK101)であり、番組名が未設定であれば、画面サイズ切換（標準画質ＳＤ）はノーマル、字幕表示は入、二カ国語放送は副音声となっている。この設定によれば、上記ＢＳ放送のＮＨＫ101の番組であれば、どのような番組名であっても、上記設定を行う旨が示されている。すなわち、ネットワークＩＤとサービスＩＤとが同じであれば、番組名に依存せずに、設定される調整項目を一律にするようにできる。
【００５５】
上から４行目は、ネットワークＩＤが0x0006(CS)であり、サービスＩＤが0x12C(300ch)であり、番組名が“ＡＢＣＤ”であれば、画面サイズ切換（標準画質ＳＤ）はシネマ、字幕表示は切、二カ国語放送は主音声＋副音声となっている。この設定によれば、上記ＣＳ放送の３００ｃｈの番組“ＡＢＣＤ”であれば、上記設定を行う旨が示されている。すなわち、ネットワークＩＤとサービスＩＤと番組名とが同じであれば、設定される調整項目を一律にすることようにできる。
【００５６】
上から５行目は、ネットワークＩＤが0x7800(地デジ)、サービスＩＤが0x00B(011ch)、番組名が“ＸＯＸＸＯ”であれば、画面サイズ切換（標準画質ＳＤ）はノーマル、字幕表示は入（下段）、二カ国語放送は主音声＋副音声となっている。この設定によれば、上記地デジの０１１ｃｈの番組“ＸＯＸＸＯ”であれば、上記設定を行う旨が示されている。すなわち、ネットワークＩＤとサービスＩＤと番組名とが同じであれば、設定される調整項目を一律にするようにできる。
【００５７】
上から６行目は、ネットワークＩＤが0x8004(地デジ)、サービスＩＤが0x03D(061ch)、番組名が“ニュース”であれば、画面サイズ切換（標準画質ＳＤ）はノーマル、字幕表示は切、二カ国語放送は副音声となっている。この設定によれば、上記地デジの０６１ｃｈの番組“ニュース”であれば、上記設定を行う旨が示されている。すなわち、ネットワークＩＤとサービスＩＤと番組名とが同じであれば、設定される調整項目を一律にするようにできる。
【００５８】
上から７行目は、ネットワークＩＤが0x7780(IPTV)、サービスＩＤ、番組名が未設定のネットコンテンツ、であれば、画面サイズ切換（標準画質ＳＤ）はスマートズーム、字幕表示は入、二カ国語放送は主音声＋副音声となっている。この設定によれば、ネットワークＩＤが0x7780のＩＰＴＶであれば、上記設定を行う旨が示されている。すなわち、ネットワークＩＤにより特定されるＩＰＴＶであれば、設定される調整項目を一律にするようにできる。
【００５９】
以上のように、ネットワークＩＤ、サービスＩＤ、番組名により特定される番組に関して、例えば画面サイズ切換、字幕表示、二カ国語放送などの調整項目（例示）を保存しておくことで、次に同じ番組を、同じ調整項目で表示させることができる。
【００６０】
尚、標準設定自体も、ユーザが別の設定をすることもできるようにしても良い。また、メニュー画面に上記の表７のような設定画面を表示させてユーザの入力が可能になるようにしても良い。また、全ての設定を消去し、購入時の設定に戻すリセットボタンを有していても良いし、ネットワークから推奨される調整項目をダウンロードして保存できるようにしても良い。
【００６１】
図２は、本発明の第１の実施の形態による調整項目再設定処理の流れを示すフローチャート図である。図２に示すように、処理が開始され（ステップＳ０１）、ステップＳ０２において、番組切替等により新たな番組が選択されると、ステップＳ０３において、番組情報取得部（番組情報デコード部を兼ねる）５が、番組を特定する番組特定情報を取得し、ステップＳ０４で、調整項目設定ファイル２３ａを、ステップＳ０３で取得した番組特定情報を検索キーとして検索する。ステップＳ０５において、ステップＳ０３で取得した番組特定情報に対応する調整項目が調整項目設定ファイル２３ａ内に存在すると（Ｙｅｓ）、ステップＳ０６で、調整項目設定ファイル２３ａ内の調整項目に基づいて、装置の調整を行い、処理を終了する（ステップＳ０７）。ステップＳ０５でＮｏの場合には、現在の調整項目による装置の設定を維持する。この処理により、番組特定情報で特定された番組に対して設定された調整項目に対応する適切な調整がなされる。
【００６２】
図３は、本実施の形態による設定保存処理の流れを示すフローチャート図であり、画面サイズ切換の調整項目を例に、番組名毎に調整項目を保存する例を示す図である。まず、ステップＳ１において、調整項目設定部２１ａによる処理が開始され（ＳＴＡＲＴ）、ステップＳ２のテレビ番組視聴（再生）中に、ステップＳ３において、放送中にリモコンの画面サイズ切換ボタンが押されたか否かの判定がなされ、ＹＥＳの場合には、ステップＳ４に進む。ステップＳ４において、切り換えた画面サイズ設定は標準設定と異なるか否かの判定がなされ、ＮＯの場合にはステップＳ３に戻る。ＹＥＳの場合には、ステップＳ５に進み、番組情報取得部５が、視聴中の番組のネットワークＩＤ、サービスＩＤ、番組タイトル名を放送波などから取得する。
【００６３】
次いで、ステップＳ６に進み、表７の調整項目設定ファイル２３ａの保存項目内に、視聴中の番組と全く同じネットワークＩＤ、サービスＩＤ、番組タイトル名の項目が存在するか否かを判定する。ＹＥＳの場合には、ステップＳ７に進み、当該番組特定情報の該当する調整項目（本実施例では画面サイズ切換）に切り換えた画面サイズ設定を、上書きする。すなわち、この保存項目は、メモリ部２３のフラッシュメモリ内の調整項目設定ファイル２３ａに上書き保存されるが（ステップＳ８）、その際に、ステップＳ３の切り替えボタンが押された項目であるため、一番新しく設定された保存項目（優先度の高い保存項目、すなわち、後述するステップＳ１２で消去されにくい項目）とするようにしている。次いで、画面サイズ切換ボタンに対応して画面サイズを調整し（ステップＳ９）、処理を終了する（ステップＳ１０：ＥＮＤ）。
【００６４】
ステップＳ６でＮＯの場合には、調整項目設定ファイル２３ａ内にその項目は存在しないため、まず、ステップＳ１０において、メモリ内の調整項目設定ファイル２３ａへの書き込みに関して空きがあるか否かを判定する。ＹＥＳの場合には、調整項目設定ファイル２３ａに新たな保存項目を書き込む余裕があるため、ステップＳ１１に進み、調整項目設定ファイル２３ａに視聴中のネットワークＩＤ、サービスＩＤ、番組タイトル名、切り換えた画面サイズ設定を、優先度を一番にして書き込む。ここで、優先度は、表７の調整項目設定ファイル２３ａの各行毎に付されているものとする。新しく追加された保存項目（行）の優先度が一番上になる。次いで、ステップＳ８に進む。尚、未設定の設定は、上記のような番組特定情報の取得処理に基づいて設定されるものではないため、未設定の項目がある行（例えば表７の１から３行目、７行目など）の保存項目は、消去対象とはならない。未設定の項目がない保存項目の場合には（例えば表７の４から６行目など）、例えば、上の行ほど優先度が高く、消去対象にならないようにする。
ステップＳ１０でＮＯの場合には、調整項目設定ファイル２３ａに、保存項目を記録する空きがないため、ステップＳ１２に進み、調整項目設定ファイル２３ａから、優先度の一番低い保存項目を１つ消去し、ステップＳ１１に進む。優先度が一番低い保存項目とは、例えば、ステップＳ５で情報を取得する操作がほとんど行われなくなった過去の古い保存項目である。
【００６５】
以上に説明したように、上記の処理によれば、ある番組の視聴中に、その番組のネットワークＩＤ、サービスＩＤ、番組名を取得し、新しい項目であれば、それを、調整項目設定ファイル２３ａに格納することができる。これにより、次回に同じ番組を視聴する場合に、調整項目設定ファイル２３ａの対応する調整項目を参照して、画面サイズ切換を自動的に行うことができるという利点がある。
【００６６】
図４は、設定を反映する処理の流れを示すフローチャート図であり、調整項目反映部２１ｂが行う処理である。図４に示すように、まず、ステップＳ２１において、調整項目反映部２１ｂによる処理が開始され（ＳＴＡＲＴ）、ステップＳ２２において、テレビ番組視聴中番組を切り換えた（または番組が切り換わった）ことが検出されると、ステップＳ２３において、番組情報取得部５により視聴中の番組のネットワークＩＤ、サービスＩＤ、番組タイトル名を取得する。次いで、ステップＳ２４において、保存項目内に、視聴中の番組と全く同じネットワークＩＤ、サービスＩＤ、番組タイトル名の項目は存在するか否かを、調整項目設定ファイル２３ａを参照して判定する。ＹＥＳの場合には、既にその保存項目は存在するため、ステップＳ２５において該当する保存項目の画面サイズ設定を装置に設定し、処理を終了する（ＥＮＤ：ステップＳ２６）。
【００６７】
ステップＳ２４でＮＯの場合には、ステップＳ２７に進み、保存項目内に、視聴中の番組と同じネットワークＩＤ、サービスＩＤ、番組タイトル（未設定）の項目（例えば、表７の３行目の項目）、すなわち番組タイトルが未設定の項目が存在するか否かを判定する。ＹＥＳの場合には、ステップＳ２５に進み、該当する保存項目の画面サイズ設定を装置に設定する。ＮＯの場合には、保存項目内に視聴中の番組と同じネットワークＩＤ、サービスＩＤ(未設定)、番組タイトル（未設定）の項目（例えば、表７の２行目の項目）、すなわち、サービスＩＤと番組タイトルが未設定の項目は存在するか否かを判定する。ＹＥＳの場合には、ステップＳ２５に進み、該当する保存項目の画面サイズ設定を装置に設定する。ＮＯの場合には、ステップＳ２８において、保存項目内に視聴中と同じネットワークＩＤ，サービスＩＤ（未設定）、番組タイトル（未設定）の項目が存在するか否かを判定する。ステップＳ２８でＹＥＳの場合には、ステップＳ２５に進み、ステップＳ２８でＮＯの場合には、ステップＳ２９に進む。ステップＳ２９において、表７の一番上の行（優先度の高い行）の標準設定の保存項目の画面サイズ設定を装置に設定し、処理を終了する（ステップＳ２６）。上記のように、取得した番組特定情報に対応する調整項目が調整項目設定ファイル２３ａに存在するか否かを判定し、存在する場合には、その調整項目に基づいて装置に設定した画面サイズ設定などで番組の再生が行われる。この際、未設定の項目は番組特定情報にしか存在しない。番組特定情報が全て一致しなくても、未設定を除く番組特定情報が一致すれば、その番組特定情報に対応する調整項目に基づいて番組の再生を行う。。最終的に、番組特定情報が一部でも一致するものがない場合には、標準設定の調整項目に基づいて番組の再生を行う。このようにすることで、番組に対応する調整項目を優先して装置を再生することができるため、所望の調整が可能となる。
【００６８】
以上の処理により、調整項目設定ファイル２３ａに保存されている項目に該当する番組名の番組を保存設定処理の後に視聴等する場合において、同じ画面サイズ切換を自動的に行うことで、所望の画面サイズ切換をその度に行う必要がない。また、そのような同じ調整項目へ自動的に切り替わる処理は、例えば番組名が同じ場合のみに限定できるため、他の番組名をもつ番組等でも同様な設定に基づく再生が行われることを防止することができる。
【００６９】
図５は、上記の処理に基づく第１の画面切換例を示す図である。適宜、図２〜図４までを参照しながら説明する。図５に示すように、左上端の表示のように、CS300chの日テレプラスのアニメ番組「ＡＢＣＤ」は、映像ソースそのものは１６:９であるが、４８０Ｉのアスペクト比４：３（固定）で送信しているため、レターボックス（上下に黒枠が付いた状態）で伝送されている。この番組「ＡＢＣＤ」では、画面サイズ切換（４８０Ｉ:シネマ）を適用し視聴したいため、図３に示すような処理で画面切換の項目を保存する（表示部１７における画面表示が４１から４５のように切り替わる）。
【００７０】
次の番組「ＸＹＺ！」は古いアニメであるので、映像そのものが４：３であり、レターボックスは解除されて伝送される。この番組「ＸＹＺ！」では、画面サイズ切換（４８０Ｉ:ノーマル）を適用し視聴したいが、従来技術によればジャンルがアニメであるため、画面サイズ切換（４８０Ｉ:シネマ）となるが、図４に基づくと、番組名が異なっても画面切換サイズは新たに設定されず、その番組の調整が登録されている場合のみ、それに従って変更される。
【００７１】
さらに、CS300chの日テレプラスのアニメ番組「ＡＢＣＤ」に、切り替わった場合には、図４に示すような処理に基づいて調整項目設定ファイル２３ａを参照して、画面サイズ切換（４８０Ｉ:シネマ）を装置に適用し再生（視聴）を行うことができる。
【００７２】
図６は、上記の処理に基づく第２の画面切換例を示す図である。
CS300chの日テレプラスの番組「ＡＢＣＤ」（アニメ）は、映像そのものは１６:９であるが、４８０Ｉのアスペクト比４:３（固定）で伝送しているため、レターボックス（上下に黒枠が付いた状態）で伝送される。この番組では、画面サイズ切換（４８０Ｉ:シネマ）を適用し視聴したいため、図３に示すような処理で画面切換の項目を保存する（表示部１７における画面表示が４１から４５のように切り替わる）。
【００７３】
一方、CS333chのAT-Xにチャネル切換した場合には、同じ番組「ＡＢＣＤ」を放送していたが、AT-Xは４８０Ｉのアスペクト比１６:９（固定）で伝送しているため、レターボックス付きでは伝送されていない。この番組では、画面サイズ切換（４８０Ｉ:ノーマル）を適用し視聴したいが、従来技術によれば、同じタイトルであった場合には、画面サイズ切換（４８０Ｉ:シネマ）となるが、図４に基づくと、当該番組の調整が登録されている場合のみ、それに従って変更される。。
【００７４】
次に、CS300chの日テレプラスの番組「ＡＢＣＤ」（アニメ）に切り替わった場合には、調整項目設定ファイル２３ａを参照して、図３に示す処理に基づいて調整項目設定ファイル２３ａに保存した画面サイズ切換（４８０Ｉ:シネマ）を適用し視聴することができる。
【００７５】
図７は、上記の処理に基づく第３の画面切換例を示す図である。朝の地デジ011chのＮＨＫの番組「連続テレビ小説ＥＦＧ、ＸＯＸＸＯ」７１は耳の不自由な祖父・祖母と一緒に見るため、字幕７３下段の表示で視聴したい。そこで、図３に示す処理に基づいて調整項目を設定する。その後、祖父・祖母は部屋に戻ってしまうので、地デジ061chのＴＢＳ「ＨＩＪＫ」は、字幕表示ができるとしても必要がないので字幕を表示せずに視聴したい。この場合にも、ジャンルのみで設定すると、同じ調整項目になってしまうが、この場合には、チャネルＩＤも番組名も異なるので、予め登録していれば、新たな設定に基づいて番組「ＨＩＪＫ」を視聴することができる。
【００７６】
次に、朝の地デジ011chのＮＨＫの番組「連続テレビ小説ＥＦＧ、ＸＯＸＸＯ」７１に切り替えた場合には、上記の処理で調整項目設定ファイル２３ａに設定した調整項目を参照して、字幕７３下段の表示を適用し視聴することができる。
【００７７】
上記の処理に基づく第４の画面切換例（二カ国語放送）では、例えば、中国語を学んでいるため、ＮＨＫ教育で、放送中の「新漢詩××」という番組だけは二ヶ国語放送の副音声にして漢詩の朗読を聴きたいとする。この場合には、図３に示す処理により、新たな調整項目を調整項目設定ファイル２３ａに設定する。その他の番組は特に副音声で聴きたい訳ではない場合に、従来では、同じジャンルであれば二ヶ国語放送の副音声での設定となってしまう。しかしながら、本実施の形態に方法では、予め登録していれば、番組名が異なれば、或いは、チャネルが異なれば、新たな設定になるため、同じジャンルでも二ヶ国語放送の副音声での視聴ではなく視聴することができる。
【００７８】
さらに、ＮＨＫ教育で、放送中の「新漢詩××」という番組に切り替わった場合には、上記で設定された調整項目設定ファイル２３ａ内の調整項目を参照して、二ヶ国語放送の副音声にして漢詩の朗読を聴くことができる。
【００７９】
図８は、上記の処理に基づく第５の画面切換例（インターネット表示）を示す図である。上図に示すように、地デジ011chのＮＨＫのニュース７７は、インターネットのＮＨＫオンラインのニュースでも記事になることが多いので、ニュースの時だけ、テレビ＋インターネットの２画面表示で視聴したい場合がある。そこで、ユーザ設定により、図３に示す処理で、調整項目設定ファイル２３ａ内の調整項目に新たな設定を行う。
【００８０】
しかしながら、下図のように、地デジ051chのテレビ朝日の「スーパーＰＩＱチャネル」などの他の番組は、インターネットの表示は必要無いため、テレビ１画面で視聴したいという要請がある。従来の場合には、同じジャンルであるため、１回設定すると、下図の場合も、テレビ＋インターネットの表示になってしまうが、予め登録していれば、チャネルＩＤが異なる番組に切り替えて、１画面でニュースを視聴することができる。
【００８１】
次いで、地デジ011chのＮＨＫのニュース７７に切り替わった場合には、新たに調整項目が設定された調整項目設定ファイル２３ａの調整項目を参照して、テレビ＋インターネットの２画面表示で視聴することができる。
【００８２】
図９は、上記の処理に基づく第６の画面切換例（録画済みコンテンツ表示）を示す図である。iLINKなどデジタル録画(TS)されＨＤＤ内に格納された番組［ＡＢＣＤ］をレコーダで再生し、テレビＸの画面１７で視聴する場合には、再生時に番組情報を取得できるため、オンタイム視聴時に切り替わった再生に関する設定の場合と同様に、取得した番組情報に基づいて、自動的に切り替えることができるという応用例がある。すなわち、番組名等が同じであれば、同じ調整項目で画面切換えを録画済み番組などに対しても図３に基づく同様の調整項目の設定処理を行うことができる。
【００８３】
以上のように、調整項目設定ファイル２３ａに保存されている番組特定情報に該当する番組を調整項目設定処理の後に視聴等する場合において、調整項目設定ファイルに基づき同じ画面サイズ切換が実行されるため、所望の画面サイズ切換をその度に行う必要がない。また、そのような同じ調整項目へ自動的に切り替わる処理は、例えば番組名が同じ場合のみに限定できるため、他の番組名でも同様な設定が行われるという不都合を回避することができる。
【００８４】
（第２の実施の形態）
次に、本発明の第２の実施の形態による番組再生装置について、テレビジョン受信装置を例にして説明を行う。第２の実施の形態では、シリーズＩＤに基づいて調整項目を保存・設定する例について説明する。また、調整項目としては、上記表１から表３までに示した表示に関する再生に関する調整項目を例にして説明を行う。尚、機能ブロック図に関しては、図１で説明した構成と同様であるため、図１を参照して説明する。また、調整項目に関しても、表１から表６までを援用して説明する。
【００８５】
尚、シリーズＩＤとは、連続ドラマなどのように、例えば１週間毎又は毎日同じ時間などに連続して放送される続き番組であることを示すＩＤのことである。規格においては、１６ビットの文字列（数字列）により特定することができる。
【００８６】
【表８】
0005274604.tif 000009
【００８７】
表８は、本実施の形態における調整項目設定ファイル２３ａに保存されている項目の一例を示す表である。表８においては、ネットワークＩＤと、サービスＩＤと、シリーズＩＤと、画面サイズ切換（標準画質ＳＤ）と、字幕表示と、二カ国語放送と、が設定可能な項目としてあげられている。このうち、テレビの放送では、ネットワークＩＤと、サービスＩＤと、により、チャネルが特定され、ＩＰＴＶなどの場合には、ネットワークＩＤによりソースが特定される。
【００８８】
表８において、行方向に見ていくと、標準設定としている一番上の行では、ネットワークＩＤと、サービスＩＤと、シリーズＩＤと、が未設定であり、画面サイズ切換（標準画質ＳＤ）はノーマル、字幕表示は切、二カ国語放送は主音声＋副音声となっている。
【００８９】
上から２行目に設定は、ネットワークＩＤが0x0004(BS)であり、サービスＩＤとシリーズＩＤが未設定、画面サイズ切換（標準画質ＳＤ）はノーマル、字幕表示は入、二カ国語放送は主音声＋副音声となっている。この設定によれば、ＢＳ放送であれば、どのようなチャネル、シリーズＩＤの番組であっても、上記設定を行う旨が示されている。すなわち、ネットワークＩＤが同じであれば、サービスＩＤ、シリーズＩＤに依存せずに、設定される調整項目を一律にすることができる。
【００９０】
上から３行目は、ネットワークＩＤが0x0004(BS)であり、サービスＩＤが0x065(NHK101)であり、シリーズＩＤが未設定であれば、画面サイズ切換（標準画質ＳＤ）はノーマル、字幕表示は入、二カ国語放送は副音声となっている。この設定によれば、上記ＢＳ放送のＮＨＫ01の番組であれば、どのような番組であっても、上記設定を行う旨が示されている。すなわち、ネットワークＩＤとサービスＩＤとが同じであれば、シリーズＩＤに依存せずに、設定される調整項目を一律にするようにできる。
【００９１】
上から４行目は、ネットワークＩＤが0x0006(CS)であり、サービスＩＤが0x12C(300ch)であり、シリーズＩＤが（０ｘ１１１１）の番組ＡＢＣＤシリーズであれば、画面サイズ切換（標準画質ＳＤ）はシネマ、字幕表示は切、二カ国語放送は主音声＋副音声となっている。この設定によれば、上記ＣＳ放送の３００ｃｈのシリーズＩＤが（０×１１１１）の番組ＡＢＣＤシリーズであれば、上記設定を行う旨が示されている。すなわち、ネットワークＩＤとサービスＩＤとシリーズＩＤとが同じであれば、設定される調整項目を一律にすることができる。
【００９２】
上から５行目は、ネットワークＩＤが0x7800(地デジ)、サービスＩＤが0x00B(011ch)、シリーズＩＤが（０ｘ２２２２）のシリーズ番組ＸＯＸＸＯシリーズであれば、画面サイズ切換（標準画質ＳＤ）はノーマル、字幕表示は入（下段）、二カ国語放送は主音声＋副音声となっている。この設定によれば、上記地デジの０１１ｃｈのシリーズＩＤが（０ｘ２２２２）のシリーズ番組ＸＯＸＸＯシリーズであれば、上記設定を行う旨が示されている。すなわち、ネットワークＩＤとサービスＩＤとシリーズＩＤとが同じであれば、設定される調整項目を一律に同じにするようにできる。
【００９３】
上から６行目は、ネットワークＩＤが0x8004(地デジ)、サービスＩＤが0x03D(061ch)、シリーズＩＤが（０ｘ３３３３）のシリーズ番組名が“ニュースシリーズ”であれば、画面サイズ切換（標準画質ＳＤ）はノーマル、字幕表示は切、二カ国語放送は副音声となっている。この設定によれば、上記地デジの０６１ｃｈのシリーズＩＤが（０ｘ３３３３）のシリーズ番組名が“ニュースシリーズ”であれば、上記設定を行う旨が示されている。すなわち、ネットワークＩＤとサービスＩＤとシリーズＩＤとが同じであれば、設定される調整項目を一律に同じにするようにできる。
【００９４】
上から７行目は、ネットワークＩＤが0x7780(IPTV)、サービスＩＤ、シリーズＩＤが未設定のネットコンテンツ、であれば、画面サイズ切換（標準画質ＳＤ）はスマートズーム、字幕表示は入、二カ国語放送は主音声＋副音声となっている。この設定によれば、ネットワークＩＤが0x7780のＩＰＴＶであれば、上記設定を行う旨が示されている。すなわち、ネットワークＩＤにより特定されるＩＰＴＶであれば、設定される調整項目を一律にするようにできる。
【００９５】
以上のように、ネットワークＩＤ、サービスＩＤ、シリーズＩＤにより特定される番組シリーズに関して、例えば画面サイズ切換サイズ、字幕表示、二カ国語放送などの調整項目（例示）を保存して次回も同じ番組であれば、同じ調整項目で表示させることができる。
【００９６】
尚、標準設定自体も、ユーザが別の設定をすることもできるようにしても良い。また、メニュー画面に上記の表８のような設定画面を表示させてユーザの入力が可能になるようにしても良い。また、全ての設定を消去し、購入時の設定に戻すリセットボタンが有っても良いし、ネットワークから推奨される調整項目をダウンロードして保存できるようにしても良い。
【００９７】
このように、連続ドラマをグループで扱う必要がある場合にはシリーズＩＤ(series_id)を用い、例えば、ネットワークＩＤとサービスＩＤとシリーズＩＤと画面サイズ切換を保存することで、ユーザが希望する特定の連続ドラマのみを異なる画面サイズで視聴することが可能となる。
【００９８】
本実施の形態でも、基本的な処理は、第１の実施の形態の図２と同様の処理が行われる。
【００９９】
図１０は、本実施の形態による設定保存処理の流れを示すフローチャート図であり、画面サイズ切換の調整項目を例に、番組名毎に調整項目を保存する例を示す図である。まず、ステップＳ３１において、調整項目設定部２１ａによる処理が開始され（ＳＴＡＲＴ）、ステップＳ３２のテレビ番組視聴中に、ステップＳ３３において、放送中にリモコンの画面サイズ切換ボタンが押されたか否かの判定がなされ、ＹＥＳの場合には、ステップＳ３４に進む。ステップＳ３４において、切り換えた画面サイズ設定は標準設定と異なるか否かの判定がなされ、ＮＯの場合にはステップＳ３３に戻る．ＹＥＳの場合には、ステップＳ３５に進み、番組情報取得部５が、視聴中の番組のネットワークＩＤ、サービスＩＤ、シリーズＩＤを放送波などから取得する。
【０１００】
次いで、ステップＳ３６に進み、表８の調整項目設定ファイル２３ａの保存項目内に、視聴中の番組と全く同じネットワークＩＤ、サービスＩＤ、シリーズＩＤの項目が存在するか否かを判定する。ＹＥＳの場合には、ステップＳ３７に進み、当該番組特定情報の該当する調整項目（本実施例では画面サイズ切換）に切り換えた画面サイズ設定を、上書きする（ステップＳ３８）。すなわち、この保存項目は、メモリ部２３のフラッシュメモリ内の調整項目設定ファイル２３ａに上書き保存されるが（ステップＳ３８）、その際に、ステップＳ３３の切り替えボタンが押された項目であるため、一番新しく設定された保存項目（優先度の高い保存項目、すなわち、後述するステップＳ４３で消去されにくい項目）とするようにしている。次いで、画面サイズ切換ボタンに対応して画面サイズを調整し（ステップＳ３９）、処理を終了する（ステップＳ４０：ＥＮＤ）。
【０１０１】
ステップＳ３６でＮＯの場合には、調整項目設定ファイル２３ａ内にその項目は存在しないため、まず、ステップＳ４１において、メモリ内の調整項目設定ファイル２３ａへの書き込みに関して空きがあるか否かを判定する。ＹＥＳの場合には、新たな保存項目を書き込む余裕があるため、ステップＳ４２に進み、調整項目設定ファイル２３ａに視聴中のネットワークＩＤ、サービスＩＤ、シリーズＩＤ、切り換えた画面サイズ設定を、優先度を一番にして書き込む。ここで、優先度は、表８の調整項目設定ファイル２３ａの各行毎に付されているものとする。新しく追加された保存項目（行）の優先度が一番上になる。次いで、ステップＳ３８に進む。尚、記憶対象となる保存項目に未設定の項目がある場合には（例えば表８の１から３行目など）、第１の実施の形態と同様に、消去対象にもしないようにする。
【０１０２】
ステップＳ４１でＮＯの場合には、保存項目を記録する空きが調整項目設定ファイル２３ａ内にないため、ステップＳ４３に進み、調整項目設定ファイル２３ａから、優先度の一番低い保存項目を１つ消去し、ステップＳ４２に進む。優先度が一番低い保存項目とは、例えば、ステップＳ３５で情報を取得する操作がほとんど行われなくなった保存項目であり、優先度の一番低い項目である。
【０１０３】
以上に説明したように、上記の処理によれば、ある番組の視聴中に、その番組のネットワークＩＤ、サービスＩＤ、シリーズＩＤを取得し、３つの組が新しい項目であれば、それを、調整項目設定ファイル２３ａに格納することができる。これにより、次回に同じシリーズＩＤの番組を視聴する場合に、調整項目設定ファイル２３ａの対応する調整項目を参照して画面サイズ切換を行うことができるという利点がある。
【０１０４】
図１１は、設定を反映する処理の流れを示すフローチャート図であり、調整項目反映部２１ｂが行う処理である。図１１に示すように、まず、ステップＳ５１において、調整項目反映部２１ｂによる処理が開始され（ＳＴＡＲＴ）、ステップＳ５２において、テレビ番組視聴中番組を切り換えた（または番組が切り換わった）ことが検出されると、ステップＳ５３において、番組情報取得部５により視聴中の番組のネットワークＩＤ、サービスＩＤ、シリーズＩＤを取得する。次いで、ステップＳ５４において、保存項目内に、視聴中の番組と全く同じネットワークＩＤ、サービスＩＤ、シリーズＩＤの項目は存在するか否かを、調整項目設定ファイル２３ａを参照して判定する。ＹＥＳの場合には、既にその保存項目は存在するため、ステップＳ５５において該当する保存項目の画面サイズ設定を装置に設定し、処理を終了する（ＥＮＤ：ステップＳ５６）。
【０１０５】
ステップＳ５４でＮＯの場合には、ステップＳ５７に進み、保存項目内に、視聴中の番組と同じネットワークＩＤ、サービスＩＤ、シリーズＩＤ（未設定）の項目（例えば、表８の３行目の項目）は存在するか否かを判定する。ＹＥＳの場合には、ステップＳ５５に進み、該当する保存項目の画面サイズ設定を装置に設定する。ＮＯの場合には、保存項目内に視聴中の番組と同じネットワークＩＤ、サービスＩＤ(未設定)、シリーズＩＤ（未設定）の項目（例えば、表８の２行目の項目）は存在するか否かを判定する。ＹＥＳの場合には、ステップＳ５５に進み、該当する保存項目の画面サイズ設定を装置に設定する。ＮＯの場合には、ステップＳ５９において、表８の一番上の行（優先度の高い行）の標準設定の保存項目の画面サイズ設定に設定し、処理を終了する（ステップＳ５６）。
【０１０６】
上記のように、取得した番組特定情報（シリーズＩＤを含む）に対応する調整項目が調整項目設定ファイル２３ａに存在するか否かを判定し、存在する場合には、その調整項目に基づいて装置に設定した画面サイズ設定などで番組の再生が行われる。この際、未設定の項目は番組特定情報にしか存在しない。番組特定情報が全て一致しなくても、未設定を除く番組特定情報が一致すれば、その番組特定情報に対応する調整項目に基づいて番組の再生を行う。最終的に、番組特定情報が一部でも一致するものがない場合には、標準設定の調整項目に基づいて番組の再生を行う。
【０１０７】
このようにすることで、番組に対応する調整項目を優先して装置を再生することができるため、所望の調整が可能となる。
【０１０８】
以上の処理により、調整項目設定ファイル２３ａに保存されている項目に該当するシリーズＩＤの番組を保存設定処理の後に視聴等する場合において、同じ画面サイズ切換を自動的に行うことで、所望の画面サイズ切換をその度に行う必要がない。また、そのような同じ調整項目へ自動的に切り替わる処理は、例えばシリーズＩＤが同じ場合のみに限定できるため、他のシリーズＩＤをもつ番組等でも同様な設定に基づく再生が行われることを防止することができる。
【０１０９】
図１２は、上記の処理に基づく第１の画面切換例を示す図である。適宜、図１０、図１１を参照しながら説明する。図１２に示すように、左上端の表示のように、CS300chの日テレプラスのアニメ番組「ＡＢＣＤシリーズ」は、左上に示す映像ソースそのものは１６:９であるが、４８０Ｉのアスペクト比４：３（固定）で送信しているため、レターボックス（上下に黒枠が付いた状態）で伝送されている。この番組「ＡＢＣＤシリーズ」では、画面サイズ切換（４８０Ｉ:シネマ）を適用し視聴したいため、表８に示すような処理で画面切換の項目を保存する（表示部１７における画面表示が４１から４５のように切り替わる）。この際、図１０に示す設定処理に基づいて、新たな調整項目を調整項目設定ファイル２３ａに設定する。
【０１１０】
次の番組「ＸＹＺシリーズ」は古いアニメであるので、映像そのものが４：３であり、レターボックスは解除されて伝送される。この番組「ＸＹＺシリーズ」では、画面サイズ切換（４８０Ｉ:ノーマル）を適用し視聴したいが、従来はジャンルがアニメであったので、画面サイズ切換（４８０Ｉ:シネマ）となるが、図１１に基づくと、、シリーズＩＤが異なっても画面切換サイズは新たに設定されず、そのシリーズＩＤの調整が登録されている場合のみ、それに従って変更される。
【０１１１】
さらに、CS300chの日テレプラスのアニメ番組「ＡＢＣＤシリーズ」に切り替わった場合には、上記の処理で設定された調整項目に基づいて、調整項目設定ファイル２３ａを検索し、該当する調整項目に基づいて、画面サイズ切換（４８０Ｉ:シネマ）を適用し視聴することができる。
【０１１２】
図１３は、上記の処理に基づく第２の画面切換例を示す図である。
CS300chの日テレプラスの番組「ＡＢＣＤシリーズ」（アニメ）は、映像そのものは１６:９であるが、４８０Ｉのアスペクト比４:３（固定）で伝送しているため、レターボックス（上下に黒枠が付いた状態）で伝送される。この番組では、画面サイズ切換（４８０Ｉ:シネマ）を適用し視聴したいため、図１０に示すような処理で画面切換の項目を保存する（表示部１７における画面表示が４１から４５のように切り替わる）。
【０１１３】
一方、CS333chのAT-Xにチャネル切換した場合には、同じ番組「ＡＢＣＤシリーズ」を放送していたが、AT-Xは４８０Ｉのアスペクト比１６:９（固定）で伝送しているため、レターボックスでは伝送されていない。この番組では、画面サイズ切換（４８０Ｉ:ノーマル）を適用し視聴したいが、従来技術によれば、同じシリーズＩＤであった場合には、画面サイズ切換（４８０Ｉ:シネマ）となるが、図１１に基づくと、シリーズＩＤが異なっても画面切換サイズは新たに設定されず、そのシリーズＩＤの調整が登録されている場合のみ、それに従って変更される。
【０１１４】
さらに、CS300chの日テレプラスの番組「ＡＢＣＤシリーズ」（アニメ）に切り替わった場合には、図１１に示すような処理に基づいて調整項目設定ファイル２３ａを参照して、画面サイズ切換（４８０Ｉ:シネマ）を適用し視聴することができる。
【０１１５】
以上のように、調整項目設定ファイル２３ａに保存されている項目に該当するシリーズＩＤを有する番組を保存設定処理の後に視聴等する場合において、同じ画面サイズ切換を行うことで、所望の画面サイズ切換をその度に行う必要がない。また、そのような同じ調整項目へ自動的に切り替わる処理は、例えばシリーズＩＤが同じ場合のみに限定できるため、他のシリーズＩＤを持つ番組でも同様な設定が行われることを防止することができる。
【０１１６】
尚、上述の実施形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０１１７】
例えば、本実施の形態による再生装置は、一般的な再生装置に設けても良いし、テレビ一体型の再生装置に設けても良い。或いは、パーソナルコンピュータなどの再生機能に付加させるようにしても良い。記録再生装置に設けても良い。
【０１１８】
また、上述の実施形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１１９】
また、「コンピュータシステム」は、ＷＷＷシステムを利用している場合であれば、ホームページ提供環境（あるいは表示環境）も含むものとする。
【０１２０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０１２１】
本発明は、テレビジョン受信装置に利用可能である。
【符号の説明】
【０１２２】
ＡＴ…アンテナ、ＮＴ…ネットワーク、Ｘ…テレビジョン受信装置、１…フロントエンド、３…デマルチプレクサ、５…放送情報デコード部（放送情報取得部）、７…番組表データ生成部、１１…映像・音声デコード部、１３…音声出力部、１５…画面合成部、１７…表示部（ディスプレイ）、２１…制御部、２１ａ…調整項目設定部、２１ｂ…調整項目反映部、２３…メモリ部、２３ａ…調整項目設定ファイル、２７…リモコン受光部、３１…インターフェイス部、３５…サーバ装置。
【図１】
0005274604.tif 000010
【図２】
0005274604.tif 000011
【図３】
0005274604.tif 000012
【図４】
0005274604.tif 000013
【図５】
0005274604.tif 000014
【図６】
0005274604.tif 000015
【図７】
0005274604.tif 000016
【図８】
0005274604.tif 000017
【図９】
0005274604.tif 000018
【図１０】
0005274604.tif 000019
【図１１】
0005274604.tif 000020
【図１２】
0005274604.tif 000021
【図１３】
0005274604.tif 000022
【図１４】
0005274604.tif 000023
【図１５】
0005274604.tif 000024